(57)【要約】【課題】画像の閲覧機能を備えた画像表示装置等の外部の装置に対し、その装置が他の特殊な機能を備えていることを要件とせず、解析処理のサービスを提供できるようにする。【解決手段】  記憶手段に解析処理を実行すべき対象の画像データを特定する第１のデータおよび実行すべき解析処理を特定する第２のデータを含む画像ファイル形式の解析処理用ファイルを記憶させ、記憶手段に記憶されている解析処理用ファイルを指定する外部の装置からの通信を受け、指定された解析処理用ファイルの第１のデータにより特定される画像データに対し第２のデータにより特定される解析処理を実行し、解析処理を実行した結果を外部の装置に返す。【選択図】図４
2015026326.tif 000002
【特許請求の範囲】
【請求項１】
画像ファイル形式のファイルを記憶する記憶手段と、該記憶手段に記憶されている画像ファイル形式のファイルのいずれかを指定する外部の装置からの通信を受けて、前記指定されたファイルに関するデータを前記外部の装置に返す通信処理手段とを備えた画像データ管理装置であって、
前記記憶手段に記憶されている前記画像ファイル形式のファイルのうち１つ以上が、解析処理を実行すべき対象の画像データを特定する第１のデータおよび実行すべき解析処理を特定する第２のデータを含む解析処理用ファイルであり、
前記通信処理手段により前記解析処理用ファイルを指定する前記外部の装置からの通信を受けた場合に、前記指定された解析処理用ファイルの前記第１のデータにより特定される画像データに対し前記第２のデータにより特定される解析処理を実行する解析処理手段を備え、
前記通信処理手段が、前記解析処理用ファイルを指定する前記外部の装置からの通信を受けた場合、前記解析処理手段により実行された前記解析処理の結果を前記ファイルに関するデータとして前記外部の装置に返すものであることを特徴とする画像データ管理装置。
【請求項２】
画像データが記憶された外部の記憶装置から画像データを取得する画像データ取得手段と、
該取得された画像データを対象に実行可能な解析処理を特定し、前記取得された画像データを特定する第１のデータおよび前記特定された解析処理を特定する第２のデータを含む前記解析処理用ファイルを生成するファイル生成手段と
を備えた請求項１記載の画像データ管理装置。
【請求項３】
前記記憶手段に記憶されている前記画像ファイル形式のファイルに対し、前記解析処理用ファイルとその他のファイルとで異なるアイコンを設定するファイル管理手段を備えた請求項１または２記載の画像データ管理装置。
【請求項４】
前記ファイル生成手段が、前記第２のデータにより特定される解析処理を表す１字以上の文字を含む文字列を前記解析処理用ファイルのファイル名として設定するものである請求項２記載の画像データ管理装置。
【請求項５】
前記画像データ取得手段が、予め定められた一定間隔または不定間隔のタイミングで、前記外部の記憶装置から前記画像データを取得するものである請求項２記載の画像データ管理装置。
【請求項６】
前記第１のデータが、前記画像データそのもの、または該画像データを取得可能な情報を含むデータである請求項１から５のいずれか１項記載の画像データ管理装置。
【請求項７】
前記ファイル生成手段が、前記取得された画像データ、または該画像データに付帯されている付帯情報を用いて、前記取得された画像データを対象に実行可能な解析処理を特定するものである請求項２記載の画像データ管理装置。
【請求項８】
記憶手段と、通信処理手段と、解析処理手段とを備えた画像データ管理装置によって実行される、前記記憶手段に記憶されている画像ファイル形式のファイルのいずれかを指定する外部の装置からの通信を受けて、前記指定されたファイルに関するデータを前記外部の装置に返す画像データ管理方法であって、
前記記憶手段に記憶されている前記画像ファイル形式のファイルのうち１つ以上が、解析処理を実行すべき対象の画像データを特定する第１のデータおよび実行すべき解析処理を特定する第２のデータを含む解析処理用ファイルであり、
前記通信処理手段が、前記記憶手段に記憶されている前記解析処理用ファイルを指定する前記外部の装置からの通信を受け、
前記解析処理手段が、前記指定された解析処理用ファイルの前記第１のデータにより特定される画像データに対し前記第２のデータにより特定される解析処理を実行し、
前記通信処理手段が、前記解析処理を実行した結果を前記ファイルに関するデータとして前記外部の装置に返すことを特徴とする画像データ管理方法。
【請求項９】
コンピュータを、画像ファイル形式のファイルを記憶する記憶手段と、該記憶手段に記憶されている画像ファイル形式のファイルのいずれかを指定する外部の装置からの通信を受けて、前記指定されたファイルに関するデータを前記外部の装置に返す通信処理手段として機能させるための画像データ管理プログラムであって、
前記記憶手段に記憶されている前記画像ファイル形式のファイルのうち１つ以上が、解析処理を実行すべき対象の画像データを特定する第１のデータおよび実行すべき解析処理を特定する第２のデータを含む解析処理用ファイルであり、
前記画像データ管理プログラムが、前記コンピュータを、前記通信処理手段により前記記憶手段に記憶されている前記解析処理用ファイルを指定する前記外部の装置からの通信を受けた場合、前記指定された解析処理用ファイルの前記第１のデータにより特定される画像データに対し前記第２のデータにより特定される解析処理を実行する解析処理手段としてさらに機能させるためのものであり、
前記通信処理手段が、前記解析処理を実行した結果を前記ファイルに関するデータとして前記外部の装置に返すものであることを特徴とする画像データ管理プログラム。
【請求項１０】
前記請求項１から７のいずれか１項記載の画像データ管理装置と、該画増データ管理装置と通信可能に設けられた前記外部の装置とを備えたことを特徴とする画像データ管理システム。
【発明の詳細な説明】
【技術分野】
【０００１】
本発明は、画像データを集めて管理し、外部の装置に要求されたデータを提供する画像データ管理装置、方法およびプログラム、並びに画像データ管理システムに関するものである。
【背景技術】
【０００２】
近年、ＣＴ装置（Computed Tomography）、ＭＲＩ装置（Magnetic Resonance Imaging）等の画像生成装置によって生成された画像データを画像管理サーバに保存しておき、画像表示装置等のクライアント端末からの要求に応じて、該当する画像データを転送可能にした分散コンピューティングシステムが利用されている。このようなシステムにおいては、さらに、画像管理サーバに各種の画像解析機能を搭載し、クライアント端末からの要求に応じて該当する解析処理を実行しその結果を提供可能にしたいという要望がある。
【０００３】
これに対し、特許文献１乃至３には、画像管理サーバが、クライアント端末から画像データＩＤ、および解析処理を実行させるためのアプリケーションのＩＤの通知を受けて、該当する画像データに対し該当する解析処理を実行し、その結果をクライアント端末に送信するという技術が提案されている。
【先行技術文献】
【特許文献】
【０００４】
【特許文献１】国際公開第２０１０／０１１９９３号
【特許文献２】特開２０１０−２３８０９３号公報
【特許文献３】特開２０１３−０８１６０１号公報
【発明の概要】
【発明が解決しようとする課題】
【０００５】
しかしながら、特許文献１乃至３に記載の方法を実現するためには、画像表示装置等のクライアント端末が、基本的な構成として備える画像の閲覧機能に加えて、画像管理サーバから実行可能な解析処理の情報を取得し、その情報を元に解析処理を特定し該当する解析処理の実行を画像管理サーバに要求するという専用の機能をさらに備えたものである必要があり、そのような機能を持たないクライアント端末からは画像管理サーバによる解析処理のサービスを利用できないという問題がある。
【０００６】
本発明は、上記事情に鑑み、画像の閲覧機能を備えた画像表示装置等の外部の装置に対し、その装置が他の特殊な機能を備えていることを要件とせず、解析処理のサービスを提供することができる画像データ管理装置、方法およびプログラム、並びに画像データ管理システムを提供することを目的とする。
【課題を解決するための手段】
【０００７】
本発明の画像データ管理装置は、画像ファイル形式のファイルを記憶する記憶手段と、記憶手段に記憶されている画像ファイル形式のファイルのいずれかを指定する外部の装置からの通信を受けて、指定されたファイルに関するデータを外部の装置に返す通信処理手段とを備えた画像データ管理装置であって、記憶手段に記憶されている画像ファイル形式のファイルのうち１つ以上が、解析処理を実行すべき対象の画像データを特定する第１のデータおよび実行すべき解析処理を特定する第２のデータを含む解析処理用ファイルであり、通信処理手段により解析処理用ファイルを指定する外部の装置からの通信を受けた場合に、指定された解析処理用ファイルの第１のデータにより特定される画像データに対し第２のデータにより特定される解析処理を実行する解析処理手段を備え、通信処理手段が、解析処理用ファイルを指定する外部の装置からの通信を受けた場合、解析処理手段により実行された解析処理の結果を前記ファイルに関するデータとして外部の装置に返すものであることを特徴とする。
【０００８】
ここで、画像ファイル形式のファイルは、ＤＩＣＯＭ（Digital Imaging and Communication in Medicine）、ＪＰＥＧ（Joint Photographic Experts Group）、ＴＩＦＦ（Tagged-Image File Format）等の画像ファイル形式に合ったデータ構造を持つファイルを意味し、必ずしも画像データを含んでいることは要しない。
【０００９】
また、画像データを特定する第１のデータは、画像データそのものであってもよいし、その情報を元に画像データを取得可能な情報（画像データの識別情報、画像データの所在を表す情報等）を含むデータであってもよい。
【００１０】
また、解析処理を特定する第２のデータは、解析処理を直接記述したデータであってもよいし、その情報を元に解析処理を実行可能な情報（解析処理を実行する機能を有するアプリケーションの識別情報等）を含むデータであってもよい。
【００１１】
上記画像データ管理装置は、画像データが記憶された外部の記憶装置から画像データを取得する画像データ取得手段と、取得された画像データを対象に実行可能な解析処理を特定し、取得された画像データを特定する第１のデータおよび特定された解析処理を特定する第２のデータを含む解析処理用ファイルを生成するファイル生成手段とを備えたものであってもよい。
【００１２】
上記画像データ管理装置は、記憶手段に記憶されている画像ファイル形式のファイルに対し、解析処理用ファイルとその他のファイルとで異なるアイコンを設定するファイル管理手段を備えたものであってもよい。
【００１３】
ファイル生成手段は、第２のデータにより特定される解析処理を表す１字以上の文字を含む文字列を解析処理用ファイルのファイル名として設定するものであってもよい。
【００１４】
ファイル生成手段は、取得された画像データ、またはその画像データに付帯されている付帯情報を用いて、前記取得された画像データを対象に実行可能な解析処理を特定するものであってもよい。
【００１５】
画像データ取得手段は、予め定められた一定間隔または不定間隔のタイミングで、外部の記憶装置から画像データを取得するものであってもよい。
【００１６】
本発明による画像データ管理方法は、記憶手段と、通信処理手段と、解析処理手段とを備えた画像データ管理装置によって実行される、記憶手段に記憶されている画像ファイル形式のファイルのいずれかを指定する外部の装置からの通信を受けて、指定されたファイルに関するデータを外部の装置に返す画像データ管理方法であって、記憶手段に記憶されている画像ファイル形式のファイルのうち１つ以上が、解析処理を実行すべき対象の画像データを特定する第１のデータおよび実行すべき解析処理を特定する第２のデータを含む解析処理用ファイルであり、通信処理手段が、記憶手段に記憶されている解析処理用ファイルを指定する外部の装置からの通信を受け、解析処理手段が、指定された解析処理用ファイルの第１のデータにより特定される画像データに対し第２のデータにより特定される解析処理を実行し、通信処理手段が、解析処理を実行した結果を前記ファイルに関するデータとして外部の装置に返すことを特徴とする。
【００１７】
本発明による画像データ管理プログラムは、コンピュータを、画像ファイル形式のファイルを記憶する記憶手段と、記憶手段に記憶されている画像ファイル形式のファイルのいずれかを指定する外部の装置からの通信を受けて、指定されたファイルに関するデータを外部の装置に返す通信処理手段として機能させるための画像データ管理プログラムであって、記憶手段に記憶されている画像ファイル形式のファイルのうち１つ以上が、解析処理を実行すべき対象の画像データを特定する第１のデータおよび実行すべき解析処理を特定する第２のデータを含む解析処理用ファイルであり、画像データ管理プログラムが、コンピュータを、通信処理手段により記憶手段に記憶されている解析処理用ファイルを指定する外部の装置からの通信を受けた場合、指定された解析処理用ファイルの第１のデータにより特定される画像データに対し第２のデータにより特定される解析処理を実行する解析処理手段としてさらに機能させるためのものであり、通信処理手段が、解析処理を実行した結果をファイルに関するデータとして外部の装置に返すものであることを特徴とする。
【００１８】
また、上記画像データ管理プログラムは、通常、複数のプログラムモジュールからなり、上記各手段の機能は、それぞれ、一または複数のプログラムモジュールにより実現される。これらのプログラムモジュール群は、ＣＤ−ＲＯＭ，ＤＶＤなどの記録メディアに記録され、またはサーバコンピュータに付属するストレージやネットワークストレージにダウンロード可能な状態で記録されて、ユーザに提供される。
【００１９】
本発明による画像データ管理システムは、上記画像データ管理装置と、その画増データ管理装置と通信可能に設けられた外部の装置とを備えたことを特徴とするものである。
【発明の効果】
【００２０】
本発明の画像データ管理装置、方法およびプログラム、並びに画像データ管理システムによれば、記憶手段に記憶されている画像ファイル形式のファイルのうち１つ以上が、解析処理を実行すべき対象の画像データを特定する第１のデータおよび実行すべき解析処理を特定する第２のデータを含む解析処理用ファイルであり、記憶手段に記憶されている解析処理用ファイルを指定する外部の装置からの通信を受け、指定された解析処理用ファイルの第１のデータにより特定される画像データに対し第２のデータにより特定される解析処理を実行し、解析処理を実行した結果を外部の装置に返すようにしているので、画像の閲覧機能を備えた画像表示装置等の外部の装置に対し、その装置が他の特殊な機能を備えていることを要件とせず、解析処理のサービスを提供することができる。
【図面の簡単な説明】
【００２１】
【図１】画像処理システムの概略構成図
【図２】画像管理サーバの機能ブロック図
【図３】記憶部に複数の画像ファイル形式のファイルが記憶されている様子を模式的に示す図
【図４】画像管理サーバにより行われる処理の流れを示す図
【発明を実施するための形態】
【００２２】
以下、本発明の実施の形態について説明する。図１は、この画像処理システム１の概略構成図である。図に示すように、このシステム１は、モダリティ１０と、画像管理サーバ２０と、クライアント端末３０（３０ａ，３０ｂ…）などにより構成され、画像処理システム１を構成する各構成要素はネットワークを介して接続されている。なお、本実施形態では、画像管理サーバ２０により本発明の画像データ管理装置の各手段が構成されている。また、クライアント端末３０は本発明における外部の装置に対応する。
【００２３】
モダリティ１０は、被検体の検査対象部位を撮影することにより、その部位を表す画像データを生成し、ＤＩＣＯＭ規格（画像ファイル形式）のファイルとして保存・出力する装置であり、具体例としては、ＣＴ、ＭＲＩなどが挙げられる。
【００２４】
画像管理サーバ２０は、モダリティ１０等の外部の記憶装置から画像データのファイルを集めて記憶し、クライアント端末３０からの要求に応じて、画像データのファイルそのもの、あるいは画像データの解析結果を要求元のクライアント端末３０に送信するコンピュータであり、中央処理装置（ＣＰＵ：Central Processing Unit）、メモリ、本発明の画像データ管理プログラム等のソフトウェアがインストールされたハードディスク、ストレージ等を備えている。画像データ管理プログラムは、コンピュータのＣＰＵに実行させる処理として、画像データ取得処理、ファイル生成処理、ファイル管理処理、通信処理、解析処理、記憶処理などを規定している。
【００２５】
クライアント端末３０（３０ａ，３０ｂ…）は、医者などの操作者が画像の閲覧等に利用するコンピュータであり、このクライアント端末３０では、画像管理サーバ２０に対する画像データの閲覧要求、画像管理サーバ２０から受信した各種情報の表示等の各処理が、その各処理のためのソフトウェアプログラムの実行により行われる。
【００２６】
図２は、画像管理サーバ２０を機能レベルで分割したブロック図である。図２に示すように、画像管理サーバ２０は、画像データ取得部２１、ファイル生成部２２、ファイル管理部２３、通信処理部２４、解析処理部２５および記憶部２６などを備えている。記憶部２６以外の各処理部の機能は、ＣＰＵが画像処理プログラムを実行することによって実現され、記憶部２６はストレージによって実現される。
【００２７】
画像データ取得部２１は、モダリティ１０等の外部の記憶装置から画像データのファイルを取得するものである。具体的には、モダリティ１０等から随時送られてくる画像データのファイルを受け入れ、あるいは予め定められた一定間隔または不定間隔のタイミングで画像データが記憶された外部の記憶装置にアクセスし、未取得の画像データのファイルを取得し、取得したファイルを記憶部２６に記憶する。たとえば、画像管理サーバ２０におけるデータの処理量が予め定められた値以下となったときに、外部の記憶装置にアクセスし、画像データのファイルを取得するようにすることができる。これにより、画像管理サーバ２０におけるデータ処理のタイミングを分散させ、処理の効率化を図ることができる。
【００２８】
ファイル生成部２２は、上記取得された画像データのファイルの各々について、その画像データを対象に解析処理部２５により実行可能な解析処理を特定し、その画像データを特定する第１のデータおよび特定された解析処理を特定する第２のデータを含むＤＩＣＯＭ規格のファイル（解析処理用ファイル）を生成し、記憶部２６に記憶する。たとえば心臓が撮影された画像データを元に、その画像データを対象にした心臓解析の解析処理を規定した解析処理用ファイルを生成する。
【００２９】
具体的には、検査対象部位とその部位が撮影された画像データを対象に実行可能な解析処理との対応関係を示すテーブルを予め用意しメモリ等に記憶しておき、ファイル生成部２２が、画像データを直接調べることによってあるいは画像データに付帯されている情報に基づいてその画像データに撮影された部位を特定し、上記テーブルを参照してその部位に対応付けられている解析処理を特定する。なお、上記テーブルには、１つの部位に対し複数の解析処理を対応づけておくことができ、その部位については、複数の解析処理が特定され、その解析処理の数と同じ数の解析処理用ファイルが生成されることとなる。
【００３０】
そして、ＤＩＣＯＭ規格に従って、ヘッダの予め定められた領域にその解析処理を実行する機能を有するアプリケーションの情報を記述し、データ本体に対象の画像データを記述した解析処理用ファイルを生成する。このとき、ファイル生成部２２は、そのファイルに記述される画像データと解析処理をそれぞれ表す文字を組み合わせてファイル名として設定することができる。このようにして生成された解析処理用ファイルは、開かれると、解析処理部２５により、データ本体に記述された画像データに対しヘッダ領域に記述された解析処理が実行されることとなる。
【００３１】
図３は、記憶部２６に複数の画像ファイル形式のファイルが記憶されている様子を模式的に示すものであり、図に示すファイル「画像１＋処理１Ａ」は、画像データのファイル「画像１」を元に生成された解析処理用ファイルであり、ファイル「画像２＋処理２Ａ」とファイル「画像２＋処理２Ｂ」は、画像データのファイル「画像２」を元に生成された解析処理用ファイルである。なお、図示のように、解析処理用ファイルとその他の通常のファイルには、ファイル管理部２３により、異なるアイコンが設定されている。これにより、ユーザはアイコンを見ただけでそのファイルの性質が判別可能となる。
【００３２】
通信処理部２４は、クライアント端末３０からの要求に応じて、記憶部２６に記憶されている特定の患者に係る画像ファイル形式のファイルの情報を提供し、そのいずれかのファイルを指定するクライアント端末３０からの通信を受けて、指定されたファイルに関するデータをクライアント端末３０に返す処理を行う。通信処理部２４は、指定されたファイルが通常のファイルである場合には、そのファイルのデータそのものをクライアント端末３０に送信する一方、指定されたファイルが解析処理用ファイルである場合には、解析処理部２５にそのファイルに規定された解析処理を実行させ、その解析処理の結果をクライアント端末３０に送信する。このとき、指定されたファイルが通常のファイルであるか解析処理用ファイルであるかの判断は、ヘッダの予め定められた領域に、解析処理を実行する機能を有するアプリケーションの情報の記述が有るか否かを調べ、アプリケーションの情報の記述が有る場合には解析処理用ファイルであると判断し、そのような記述が無い場合には通常のファイルであると判断する。
【００３３】
たとえば、図３に示す例において、「画像１」のファイルが指定された場合には、そのファイルのデータをクライアント端末３０に送信し、「画像１＋処理１Ａ」のファイルが指定された場合には、解析処理部２５に画像１に対する処理１Ａの解析処理を実行させ、その解析処理の結果をクライアント端末３０に送信する。
【００３４】
解析処理部２５は、各種の検査対象部位が撮影された画像データを対象とする複数種類の解析機能を備えたものである。ここで、解析処理というのは、検査対象部位が撮影された画像データを用いて診断を行うに際しその画像データに対して行う種々の画像処理を広く含むものである。たとえば、画像全体から検査対象部位の全体または一部の領域を抽出する処理、検査対象部位の状態または機能を表す指標を求める処理等が挙げられる。
【００３５】
クライアント端末３０は、操作者によって特定の患者に係る画像データの閲覧を要求する操作が行われたことに応じて、画像管理サーバ２０から記憶部２６に記憶されている特定の患者に係る画像ファイル形式のファイルの情報を取得し、ディスプレイなどの表示画面にファイルのリストを表示する。そして、画面上表示されたファイルのいずれかを指定する操作者による入力に応じて、クライアント端末３０は、画像管理サーバ２０に対し、その指定されたファイルについて閲覧の要求を送信する。この要求の送信は、画像管理サーバ２０通信処理部２４により、ファイルを指定するクライアント端末３０からの通信として受け入れられ、処理される。その後、クライアント端末３０は、上記要求に応じて画像管理サーバ２０から送られてくる画像データ等のデータを受け入れ、表示画面に表示する。
【００３６】
次に、図４のフローチャートを参照して、画像管理サーバ２０により、クライアント端末３０からの要求を処理する処理の流れの一例について説明する。まず、通信処理部２４が、クライアント端末３０からの要求に応じて、記憶部２６に記憶されている特定の患者に係る画像ファイル形式のファイルの情報（ファイルリスト）をクライアント端末３０へ送信する（Ｓ１）。その後、記憶部２６に記憶されているいずれかのファイルを指定するクライアント端末３０からの通信を受けて（Ｓ２）、通信処理部２４が、指定されたファイルが通常のファイルであるか解析処理用ファイルであるかを、ファイルのヘッダ領域に、解析処理を実行する機能を有するアプリケーションの情報の記述が有るか否かを調べることにより判断し（Ｓ３）、指定されたファイルが通常のファイルである場合には（Ｓ３：ＹＥＳ）、そのファイルのデータをクライアント端末３０へ送信し（Ｓ４）、処理を終了する。一方、指定されたファイルが解析処理用ファイルである場合には（Ｓ３：ＮＯ）、解析処理部２５にそのファイルに規定された解析処理を実行させ（Ｓ５）、その解析処理の結果をクライアント端末３０へ送信し（Ｓ６）、処理を終了する。
【００３７】
上述のように、本実施形態の画像処理システム１によれば、画像管理サーバ２０において、記憶部２６に記憶されている画像ファイル形式のファイルのうち１つ以上が、解析処理を実行すべき対象の画像データを特定する第１のデータおよび実行すべき解析処理を特定する第２のデータを含む解析処理用ファイルであり、通信処理部部２４が、記憶部２６に記憶されている解析処理用ファイルを指定するクライアント端末３０からの通信を受け、解析処理部２５が、指定された解析処理用ファイルの第１のデータにより特定される画像データに対し第２のデータにより特定される解析処理を実行し、通信処理部部２４が、解析処理を実行した結果をクライアント端末３０に返すようにしているので、画像の閲覧機能を備えたクライアント端末３０に対し、その端末が他の特殊な機能を備えていることを要件とせず、解析処理のサービスを提供することができる。
【００３８】
なお、上記実施の形態では、ファイル生成部２２により生成する解析処理用ファイルが、ヘッダの予め定められた領域に、その解析処理を実行する機能を有するアプリケーションの情報を記述し、データ本体に、対象の画像データを記述したものである場合について説明したが、画像データそのものに代えて、その情報を元に画像データを取得可能な情報、たとえば画像データの識別情報、画像データの所在を表す情報等を記述し、アプリケーションの情報に代えて、解析処理を直接記述したデータ、その情報を元に解析処理を実行可能な他の情報等を記述したものであってもよい。
【００３９】
また、上記実施の形態では、画像管理サーバ２０が、クライアント端末３０からの要求に応じて、画像データのファイルそのもの、あるいは画像データの解析結果のデータを要求元のクライアント端末３０に直接送信するものである場合について説明したが、たとえば、クライアント端末３０からの要求に該当する画像データまたは解析結果のデータを画像管理サーバ２０自分の表示画面に表示させ、かつ、リモート・デスクトップ機能により、クライアント端末３０から画像管理サーバ２０の表示画面を確認し、必要に応じてさらに画像管理サーバ２０を操作可能にすることによって、画像データ等の情報を提供し利用可能にするものであってもよい。
【００４０】
また、上記実施の形態では、画像管理サーバ２０が、ファイル生成部２２を備え、解析処理用ファイルを画像管理サーバ２０にて直接生成するようにした場合について説明したが、解析処理用ファイルが外部から供給される場合には、画像管理サーバ２０にこのファイル生成部２２の機能を備えておくことは必ずしも必要ではなく、必要に応じて備えるとよい。
【００４１】
また、上記実施の形態では、ファイル生成部２２が、画像データに撮影された部位を画像データまたはそれに付帯されている情報に基づいて自動的に特定するようにした場合について説明したが、たとえば、部位を指定するユーザからの入力を受け付け、その指定された部位の情報を用いてその画像データを対象に実行可能な解析処理を特定するようにしてもよい。
【００４２】
また、上記実施の形態では、画像ファイル形式のファイルがＤＩＣＯＭ規格のファイルである場合について説明したが、ＪＰＥＧ，ＴＩＦＦ等の他の画像ファイル形式のファイルであってもよい。
【００４３】
また、画像管理サーバ２０は、クラウドコンピューティングのように複数のサーバー群で構築されたものであってもよい。
【００４４】
また、画像管理サーバ２０（画像データ管理装置）とクライアント端末３０（外部の装置）は、それぞれが異なるデータ処理システム（たとえば異なる会社のデータ処理システム）を構成するものであってもよい。たとえば、画像処理システム１は、第１のデータ処理システムを構成する画像管理サーバ２０（画像データ管理装置）と、別の第２のデータ処理システムを構成するクライアント端末３０（外部の装置）により構築されたものであってもよい。え
【符号の説明】
【００４５】
１     画像処理システム
１０   モダリティ
２０   画像管理サーバ
３０ａ，３０ｂ クライアント端末
２１   画像データ取得部
２２   ファイル生成部
２３   ファイル管理部
２４   通信処理部
２５   解析処理部
２６   記憶部
【図１】
2015026326.tif 000003
【図２】
2015026326.tif 000004
【図３】
2015026326.tif 000005
【図４】
2015026326.tif 000006